(57)【要約】【課題】釣糸を容易且つ安全に切断できる機能を有し、且つ容易に廃棄することができる釣糸用スプールの提供。【解決手段】この釣糸用スプール１０は、スプール本体１１と、切断部１２とを備える。スプール本体１１は、樹脂により構成され、釣糸が巻き取られるスプール本体１３と、フランジ１４，１５とを備える。切断部１２は、スプール本体１１の円筒部１６に突設されている。切断部１２は、一対の平板部材１７，１８を有し、一方の平板部材１７に対して他方の平板部材１８が切り起こされた状態で形成されている。平板部材１８は、切断刃２２が構成されている。【選択図】  図１
2004313150.tif 000002
【特許請求の範囲】
【請求項１】
釣糸用スプールに装着され、釣糸用スプールから引き出された釣糸を切断するための釣糸切断具であって、
釣糸用スプールに取り付けられる取付部と、
取付部に設けられ、一方の平板部材に対して他方の平板部材が切り起こされた状態で形成された切断部とを備える釣糸切断具。
【請求項２】
上記取付部は、
釣糸用スプールに設けられた内筒部に嵌合する嵌合部を備えている請求項１に記載の釣糸切断具。
【請求項３】
上記一方及び他方の平板部材の互いに対向する対向面のうち少なくとも一方の対向面は、切断刃を構成すべく面取加工がなされている請求項１又は２に記載の釣糸切断具。
【請求項４】
上記取付部及び切断部は、樹脂により一体的に形成されている請求項１ないし３のいずれかに記載の釣糸切断具。
【請求項５】
釣糸が巻き取られるスプール本体と、
スプール本体に設けられ、釣糸を切断するための切断部とを有し、
切断部は、一方の平板部材に対して他方の平板部材が切り起こされた状態で形成されている釣糸用スプール。
【請求項６】
上記一方及び他方の平板部材の互いに対向する対向面のうち少なくとも一方の対向面は、切断刃を構成すべく面取加工がなされている請求項５に記載の釣糸用スプール。
【請求項７】
上記スプール本体と切断部とは、樹脂により一体的に形成されている請求項５又は６に記載の釣糸用スプール。
【発明の詳細な説明】
【０００１】
【発明の属する技術の分野】
この発明は、長尺の釣糸が巻回される釣糸用スプールの構造に関するものである。
【０００２】
【従来の技術及び発明が解決しようとする課題】
釣糸は、一般に定尺寸法（５０ｍ〜２００ｍ程度）に切断され、これがスプールに巻き取られた状態で販売され、使用される。スプールは、一般にボビン状に形成されており、釣糸が巻き付けられる円筒部と、この両端部に設けられたフランジ部とを有する。
釣糸がいわゆる道糸として使用されるときは、スプールに巻き取られた全部の釣糸が一時に使用されるが、例えば、釣糸がハリスとして使用されるときは、釣人は、スプールから所要長さだけ釣糸を引き出して切断し、残りの釣糸は、その端部が当該スプールに係止された状態で保存される。
従来では、この釣糸を切断する作業の便宜のために、スプールにカッターが取り付けられている（例えば、特許文献１及び特許文献２参照）。
【０００３】
【特許文献１】
特開２０００−１５７１３４号
【特許文献２】
特開２００２−１０１７９８号
【０００４】
従来のスプールに設けられたカッターは、鋼により構成され、切断刃が形成されている。そして、釣人が釣糸を切断する際には、釣人は、釣糸を持って切断刃に釣糸を押しつけるようにしていた。
かかる作業が行われるには、釣人が釣糸を保持しつつ上記切断刃に釣糸を押し付けなければならず、釣人にとって容易な作業ではなかった。しかも、釣人は、釣糸の切断に際し、自己が怪我をしなうように十分に注意する必要があった。加えて、スプールに鋼製のカッターが設けられていることから、このスプールがライフジャケットのポケットに無造作に入れられることにも問題があった。
【０００５】
そこで、本発明の目的は、釣糸用スプールに着脱自在であって、安全、容易且つ確実に釣糸を切断することができる釣糸切断具を提供すること、及びこの釣糸切断具が採用された使い勝手の良い釣糸用スプールを提供することである。
【０００６】
【課題を解決するための手段】
（１）上記目的を達成するため、本願に係る釣糸切断具は、釣糸用スプールに装着され、釣糸用スプールから引き出された釣糸を切断するための釣糸切断具であって、釣糸用スプールに取り付けられる取付部と、取付部に設けられ、一方の平板部材に対して他方の平板部材が切り起こされた状態で形成された切断部とを備えることを特徴とするものである。
【０００７】
この構成によれば、取付部が釣糸用スプールに取り付けられることによって、釣糸切断具が釣糸用スプールに装着される。
釣人が釣糸を切断するときには、釣人は、釣糸をスプール本体から引き出し、釣糸の所望の位置を一方の平板部材と他方の平板部材との間に挿入する。切断部は、一方の平板部材に対して他方の平板部材が切り起こされた状態で形成されているから、当該釣糸は、各平板部材間に挟持され、これにより生じるせん断力によって容易に切断される。
切断部は、一方の平板部材に対して他方の平板部材が切り起こされた状態で構成されるから、従来のように切断刃がむき出しになることはない。したがって、釣糸が切断される際に、釣人にとってきわめて安全である。
【０００８】
また、上記取付部は、釣糸用スプールに設けられた内筒部に嵌合する嵌合部を備えているのが好ましい。
一般に釣糸は、自動巻取機によって釣糸用スプールに巻き取られる。そのために、釣糸用スプールには、自動巻取機に装着されるための内筒部を備えている。したがって、上記嵌合部が上記内筒部に嵌め込まれることによって、釣糸切断具は、きわめて簡単に釣糸用スプールに取り付けられる。
【０００９】
さらに、上記一方及び他方の平板部材の互いに対向する対向面のうち少なくとも一方の対向面は、切断刃を構成すべく面取加工がなされているのが好ましい。この構成では、各平板部材間に挟持された釣糸に切断刃が食い込むことになり、釣糸は、一層容易に切断される。
しかも、上記切断刃は、上記対向面に構成されるものであり、外部に向き出し状態で構成されるものではない。したがって、釣糸が切断される際に、釣人にとってきわめて安全である。
【００１０】
加えて、上記取付部及び切断部は、樹脂により一体的に形成されているのが好ましい。
この構成では、切断部が樹脂により構成されることにより、釣糸の切断作業は、より安全なものとなる。しかも、当該釣糸切断具は、釣糸がすべて使用された後は、釣糸用スプールと共に廃棄され得る。
【００１１】
（２）また、本願に係る釣糸用スプールは、釣糸が巻き取られるスプール本体と、スプール本体に設けられ、釣糸を切断するための切断部とを有し、切断部は、一方の平板部材に対して他方の平板部材が切り起こされた状態で形成されていることを特徴とするものである。
【００１２】
この構成によれば、釣人が釣糸を切断するときには、釣人は、釣糸をスプール本体から引き出し、釣糸の所望の位置を一方の平板部材と他方の平板部材との間に挿入する。切断部は、一方の平板部材に対して他方の平板部材が切り起こされた状態で形成されているから、当該釣糸は、各平板部材間に挟持され、これにより生じるせん断力によって容易に切断される。
切断部は、一方の平板部材に対して他方の平板部材が切り起こされた状態で構成されるから、従来のように切断刃がむき出しになることはない。したがって、釣糸が切断される際に、釣人にとってきわめて安全である。
【００１３】
また、上記一方及び他方の平板部材の互いに対向する対向面のうち少なくとも一方の対向面は、切断刃を構成すべく面取加工がなされていてもよい。
この構成では、各平板部材間に挟持された釣糸に切断刃が食い込むことになり、釣糸は、一層容易に切断される。
しかも、上記切断刃は、上記対向面に構成されるものであり、外部に向き出し状態で構成されるものではない。したがって、釣糸が切断される際に、釣人にとってきわめて安全である。
【００１４】
さらに、上記スプール本体と切断部とは、樹脂により一体的に形成されているのが好ましい。
この構成では、切断部が樹脂により構成されることにより、釣糸の切断作業は、より安全なものとなる。
しかも、スプール本体及び切断部の組立体、すなわち釣糸用スプールの大量生産が可能であり、製造コストが低減される。
さらに、すべての釣糸が使用された後は、スプール本体及び切断部をまとめて廃棄することができる。
【００１５】
【発明の実施の形態】
以下、本発明の実施形態について詳細に説明される。
【００１６】
図１は、本発明の一実施形態に係る釣糸用スプールの斜視図である。
この釣糸用スプール１０は、スプール本体１１とスプール本体１１に設けられた切断部１２とを備えている。本実施形態では、スプール本体１１と切断部１２とは、樹脂により一体的に形成されている。
スプール本体１１は、筒状に形成された釣糸巻回部１３と、釣糸巻回部１３の両側に設けられたフランジ部１４，１５と、釣糸巻回部１３の中央部に当該釣糸巻回部１３の軸方向に沿って配置された内筒部１６とを備えている。
【００１７】
長尺の釣糸は、釣糸巻回部１３に巻回され、保存される。フランジ部１４，１５は、釣糸巻回部１３に巻回された釣糸がばらけてしまうことを防止している。また、内筒部１６は、同図では図示されていないが、リブ等によって釣糸巻回部１３の内壁面と連結されている。
この内筒部１６は、釣糸が釣糸巻回部１３に巻き取られる際に、釣糸用スプール１０を保持するためのものである。すなわち、釣糸は、一般に自動機によって釣糸巻回部１３に巻き取られるが、その際に自動機の回転軸が内筒部１６に挿通され、回転軸と共に釣糸用スプール１０が回転されるようになっている。
【００１８】
切断部１２は、内筒部１６の端部に設けられている。図２は、釣糸用スプール１０の要部拡大斜視図であり、切断部１２の構成を詳細に示している。
切断部１２は、一対の平板部材１７，１８を備えている。こららは、内筒部１６の外周面に突設されており、フランジ部１４の側面１９に沿うように配置されている（図１参照）。
【００１９】
一方の平板部材１８は、他方の平板部材１７に対して切り起こされた状態で配置されている。具体的には、一方の平板部材１７は、フランジ部１４の側面１９に沿って配置されており、他方の平板部材１８は、側面１９に対して所定の角度で交差するように配置されている。したがって、両平板部材１７，１８の対向面２０，２１間にはくさび状の隙間が形成されており、この隙間は、両平板部材１７，１８の先端部においてもっとも広く、両平板部材１７，１８の基端側に向かって漸次狭くなっている。
【００２０】
上記所定の角度は、適宜設定され得るものであるが、上記両平板部材１７，１８の先端部における隙間寸法が、巻き取られる釣糸の外径寸法よりも大きくなるように設定されていればよい。
本実施形態では、上記平板部材１８の上記対向面２１は、面取加工がなされている。具体的には、対向面２１は、いわゆるＣ面加工がなされており、対向面２１が鋭利な切断刃２２を構成している。なお、この切断刃２２は、省略されていてもよい。
【００２１】
本実施形態に係る釣糸用スプール１０では、釣人が釣糸を切断するときには、釣人は、釣糸をスプール本体１１から引き出し、釣糸の所望の位置を平板部材１７と平板部材１８との間に挿入する。両平板部材１７，１８間には、上記くさび状の隙間が形成されているから、釣糸がこの隙間内で隙間寸法が広い方から狭い方へスライドされることによって、釣糸は、各平板部材１７，１８間に挟持され、これにより生じるせん断力によって容易且つ安全に切断される。
【００２２】
本実施形態では、スプール本体１１及び切断部１２が樹脂により構成されているから、釣糸巻回部１３に巻き取られた釣糸がすべて使用された後は、釣糸用スプール１０をそのまま廃棄することができるという利点がある。
しかも、スプール本体１１及び切断部１２が一体的に形成されるから、スプール本体１１と切断部１２との組立体、すなわち釣糸用スプール１０の大量生産が可能であり、釣糸用スプール１０が安価に提供される。
【００２３】
特に、本実施形態では、上記平板部材１８には上記切断刃２２が形成されているから、各平板部材間１７，１８に挟持された釣糸に切断刃２２が食い込む。これにより、釣糸は、一層容易に切断されるという利点がある。
なお、この場合であっても、切断刃２２は樹脂により構成されているから、危険がなく、釣糸用スプール１０の使い勝手は非常に良い。
【００２４】
本実施形態では、切断部１２がスプール本体１１と共に一体的に形成されているが、切断部１２がスプール本体１１と別体として構成されていてもよいことは勿論である。
また、本実施形態では、スプール本体１１は樹脂により構成されているが、スプール本体１１が紙により構成されていてもよい。その場合には、スプール本体１１は通常の廃棄物として処理されるという利点がある。
【００２５】
さらに、切断部１２がスプール本体１１と別体として構成される場合には、切断部１２が鋼等の金属により構成されていてもよい。その場合であっても、前述のように、釣糸が容易且つ確実に切断されるとともに、従来の釣糸用スプールのように切断刃が向き出しになることはないので、取り扱いの際に危険はない。
【００２６】
本実施形態では、上記切断刃２２は、平板部材１８にのみ設けられているが、この切断刃が平板部材１７にも設けられていてもよいことは勿論である。その場合であっても、切断刃が向き出しになることはないので、取り扱いの際に危険はない。
【００２７】
次に、本発明の他の実施形態について説明される。
図３は、本発明の一実施形態に係る釣糸切断具の斜視図である。
この釣糸切断具３０は、釣糸用スプールに着脱自在に設けられるものである。前述のように、上記釣糸スプール１１に設けられた切断部１２は、スプール本体１１と別体として構成され得るが、本実施形態に係る釣糸切断具３０は、上記切断部１２が別体として構成される場合の実施形態に係るものである。
【００２８】
この釣糸切断具３０は、釣糸用スプールに取り付けられる取付部３１と、取付部３１に設けられた一対の平板部材３２，３３とを備えている。一対の平板部材３２，３３は、釣糸を切断するための切断部として機能する。
こらら取付部３１及び一対の平板部材３２，３３は、樹脂により一体的に構成されている。取付部３１は、基板部３４と、基板部３４に直交するように突設された嵌合部３５とを備えている。嵌合部３５は、丸棒状に形成されている。
【００２９】
一対の平板部材３２，３３は、上記基板部３４に連続して形成されている。一方の平板部材３３は、他方の平板部材３２に対して切り起こされた状態で配置されている。具体的には、一方の平板部材３２は、基板部３４から真直に延びており、他方の平板部材３３は、一方の平板部材３２に対して所定の角度で交差するように配置されている。したがって、両平板部材３２，３３の対向面３６，３７間にはくさび状の隙間が形成されており、この隙間は、両平板部材３２，３３の先端部においてもっとも広く、両平板部材３２，３３の基端側（基板部３４側）に向かって漸次狭くなっている。
【００３０】
上記所定の角度は、適宜設定され得るものであるが、上記両平板部材３２，３３の先端部における隙間寸法が、巻き取られる釣糸の外径寸法よりも大きくなるように設定されていればよい。
本実施形態では、上記平板部材３３の上記対向面３７は、面取加工がなされている。具体的には、対向面３７は、いわゆるＣ面加工がなされており、対向面３７が鋭利な切断刃３８を構成している。なお、この切断刃３８は、省略されていてもよい。
【００３１】
本実施形態に係る釣糸切断具３０は、取付部３１が釣糸用スプールに取り付けられる。具体的には、嵌合部３５が釣糸用スプールの内筒部に挿入される。これにより、釣糸切断具３０は、釣糸用スプールに対して着脱自在な状態でいわゆる片持ち状に配設される。
【００３２】
釣人が釣糸を切断するときには、釣人は、釣糸の所望の位置を平板部材３２と平板部材３３との間に挿入する。両平板部材３２，３３間には、上記くさび状の隙間が形成されているから、釣糸がこの隙間内で隙間寸法が広い方から狭い方へスライドされることによって、釣糸は、各平板部材３２、３３間に挟持され、これにより生じるせん断力によって容易且つ安全に切断される。
【００３３】
また、本実施形態に係る釣糸切断具３０が樹脂により構成されているから、釣糸用スプールに巻き取られた釣糸がすべて使用された後は、釣糸用スプールは、釣糸切断具３０と共にそのまま廃棄され得る。ただし、釣糸切断具３０は、釣糸用スプールに対して着脱自在であるから、釣糸切断具３０が釣糸用スプールから取り外された後、釣糸用スプールのみが廃棄されることもできる。
【００３４】
さらに、上記平板部材３３には上記切断刃３８が形成されているから、釣糸が各平板部材間３２，３３に挟持された場合には、切断刃３８が当該釣糸に食い込む。これにより、釣糸は、一層容易に切断されるという利点がある。なお、この場合であっても、切断刃３８は樹脂により構成されているから、危険がないという利点がある。
【００３５】
なお、釣糸切断具３０は、鋼等の金属により構成されていてもよい。その場合であっても、釣糸は、一対の平板部材３２，３３の間に挿入されて切断されるので、釣糸は、容易且つ安全に切断される。
また、この場合、一対の平板部材３２，３３に上記切断刃３８が形成されていてもよい。その場合であっても、切断刃３８は、上記対向面３７又は対向面３６に形成されるから、切断刃３８が外部に向かって向き出しとなることはなく、釣糸切断具３０の取り扱いに危険はない。
【００３６】
なお、本実施形態では、上記取付部３１は、嵌合部３５を備える構成であるが、取付部３１の構成はこれに限定されるものでないことは勿論である。要するに、釣糸用スプールに取り付けるための構造であれば、取付部３１は、他の種々の構成が採用され得る。
【００３７】
【発明の効果】
以上のように本発明によれば、釣糸は、釣人の所望の位置で簡単且つ容易に切断される。しかも、釣糸切断具及び釣糸用スプールは、鋼製ではないので、取り扱いに危険がない。
【図面の簡単な説明】
【図１】図１は、本発明の一実施形態に係る釣糸用スプールの斜視図である。
【図２】図２は、本発明の一実施形態に係る釣糸用スプールの要部拡大斜視図である。
【図３】図３は、本発明の一実施形態に係る釣糸切断具の斜視図である。
【符号の説明】
１０  釣糸用スプール
１１  本体
１２  切断部
１６  内筒部
１７  平板部材
１８  平板部材
２０  対向面
２１  対向面
２２  切断刃
３０  釣糸切断具
３１  取付部
３２  平板部材
３３  平板部材
３４  基板部
３５  嵌合部
３６  対向面
３７  対向面
３８  切断刃
【図１】
2004313150.tif 000003
【図２】
2004313150.tif 000004
【図３】
2004313150.tif 000005